(57)【要約】【課題】  組み合わせのテーブルにおいて、テーブルの自由度が高く、使い勝手の良いテーブルを提供する。【解決手段】  テーブルは、基部と、テーブル部と、を備え、基部は、溝部を備え、テーブル部は、基部より高い位置に位置する天板と、天板を支持する脚部と、天板に設けられ、溝部の内面に接して転がり、かつ旋回可能な車輪を有する第一の移動部と、を備える。【選択図】      図１
0003203276.tif 000002
【実用新案登録請求の範囲】
【請求項１】
基部と、テーブル部と、を備え、
前記基部は、溝部を備え、
前記テーブル部は、前記基部より高い位置に位置する天板と、
前記天板を支持する脚部と、
前記天板に設けられ、前記溝部の内面に接して転がり、かつ旋回可能な車輪を有する第一の移動部と、
を備えることを特徴とするテーブル。
【請求項２】
前記天板に設けられ、基部にまたはテーブル部が設置される設置部に接する車輪を有する第二の移動部を備えることを特徴とする請求項１記載のテーブル。
【請求項３】
前記第二の移動部は、前記第一の移動部に対し、前後方向および横方向にずれた位置に備えられることを特徴とする請求項１または２記載のテーブル。
【考案の詳細な説明】
【技術分野】
【０００１】
本考案は、テーブルに関する。
【背景技術】
【０００２】
家庭やオフィスで使用するテーブルとして、テーブルと何らかの物（例えばテーブルや袖机）とを組み合わせて構成される組み合わせのテーブルが提案されている。例えば、特許文献１には、本体に対し旋回可能に取り付けられた補助台を備える台が提案されている。
しかしながら、特許文献１記載の台は、補助台が本体に対し旋回するのみであるため、補助台の自由度が低く、使い難く感じる場合があった。
【先行技術文献】
【特許文献】
【０００３】
【特許文献１】実開平３−１１３６３６号公報
【考案の概要】
【考案が解決しようとする課題】
【０００４】
本考案は、組み合わせのテーブルにおいて、テーブルの自由度が高く、使い勝手の良いテーブルを提供することを目的とする。
【課題を解決するための手段】
【０００５】
本考案のテーブルは、基部と、テーブル部と、を備えている。基部は、溝部を備えている。また、テーブル部は、基部より高い位置に位置する天板と、天板を支持する脚部と、
天板に設けられ、溝部の内面に接して転がり、かつ旋回可能な車輪を有する第一の移動部と、を備えている。
【０００６】
本考案のテーブルは、天板に設けられ、基部にまたはテーブル部が設置される設置部に接する車輪を有する第二の移動部を備えるものであってもよい。
【０００７】
本考案のテーブルは、第二の移動部が、前記第一の移動部に対し、前後方向および横方向にずれた位置に備えられるものであってもよい
【考案の効果】
【０００８】
本考案のテーブルは、基部に対し、テーブル部を並進および旋回させることができるので、テーブル部の自由度が高く、使い勝手が良い。また、テーブルを使用しない場合には、平面的に見て天板を基部と重なるようにテーブル部を配置することにより、テーブルをコンパクトにすることができる。
【図面の簡単な説明】
【０００９】
【図１】本考案の第一実施形態のテーブルを示す斜視図である。
【図２】テーブル部を基部に重ねた状態を示す側面図である。
【図３】テーブル部を基部に重ねた状態を示す正面図である。
【図４】基部を示す平面図である。
【図５】図４のＶ−Ｖ線断面図である。
【図６】テーブル部を示す正面図である。
【図７】テーブル部を示す底面図である。
【図８】図２のＶIII−ＶIII線断面図である。
【図９】テーブル部が並進した状態を平面的に示す模式図である。
【図１０】テーブル部が旋回した状態を平面的に示す模式図である。
【図１１】テーブル部が旋回した状態を平面的に示す模式図である。
【図１２】テーブル部を基部に重ねた状態を平面的に示す模式図である。
【図１３】本考案の第二実施形態のテーブルを示す斜視図である。
【図１４】テーブル部を基部に重ねた状態を示す側面図である。
【図１５】テーブル部を基部に重ねた状態を示す正面図である。
【図１６】テーブル部が並進した状態を平面的に示す模式図である。
【図１７】テーブル部が旋回した状態を平面的に示す模式図である。
【図１８】テーブル部を基部に重ねた状態を平面的に示す模式図である。
【考案を実施するための形態】
【００１０】
以下、本考案の実施形態のテーブルについて説明する。まず、第一実施形態のテーブルについて説明する。図１〜図１２は第一実施形態のテーブルを示す。
第一実施形態のテーブルは、基部１０と、テーブル部２０と、を備えている。
【００１１】
基部１０は、図１〜図５に示すように、形状が直方体であり、木材で形成されている。基部１０の上面には、前後方向に延び、横断面が矩形状である溝部１２が形成されている。
なお、基部１０は、どのような形態であってもよく、例えば、外枠と、棚板からなる棚であってもよい。
【００１２】
テーブル部２０は、図１〜図３および図６〜図８に示すように、天板２２と、脚部２４と、第一の移動部と、第二の移動部と、第三の移動部と、を備えている。
【００１３】
天板２２は、板面が長方形であり、木材で形成されている。天板２２は、板面が鉛直方向に直交している。天板２２の板面の幅は基部１０の幅とほぼ同じであり、天板２２の板面の長さは基部１０の長さよりやや長くなっている。
【００１４】
天板２２の裏面のうち後端付近には、天板２２を支持するために、下方に伸びる脚部２４が取り付けられている。脚部２４は、板状であって、その幅は天板２２と同じ幅であり、木材で形成されている。
【００１５】
脚部２４の下端には、床などのテーブル部２０が設置される設置部にテーブル部２０を設置し、かつテーブル部２０を設置部上で移動させるために、第三の移動部が二つ取り付けられている。第三の移動部は、本実施形態では、左右に旋回可能な車輪５２を備えるキャスタ５０により構成されている。キャスタ５０は、車輪５２がテーブル部２０の設置部に接し、設置部上で転がるようになっている。第三の移動部のキャスタ５０はどのようなものであってもかまわないが、テーブル部２０の旋回のし易さという観点からは、オフセットがあるものが好ましい。
なお、脚部２４は、第三の移動部を備えないものであってもよく、この場合、脚部２４が設置部に接することとなる。
【００１６】
天板２２は、第三の移動部がある場合には脚部２４と第三の移動部とにより、また第三の移動部がない場合には脚部２４により、基部１０より高い位置に支持される。
【００１７】
天板２２の裏面には、天板２２を基部１０上で支持するとともに基部１０に対して並進または旋回させるために、基部１０の溝部１２の内面に接し、かつ旋回可能な車輪を有する第一の移動部が備えられている。第一の移動部は、本実施形態では、左右に旋回可能な車輪３２を備えるキャスタ３０により構成されている。キャスタ３０は、車輪３２の幅が基部１０の溝部１２の幅より狭くなっており、車輪３２が基部１０の溝部１２の底部に接し、溝部１２に沿って転がるようになっている。このように、キャスタ３０の車輪３２が基部１０の溝部１２に沿って溝部１２内を転がるので、テーブル部２０を基部１０の溝部１２に沿って移動させることができる。また、キャスタ３０の車輪３２が旋回するので、キャスタ３０を中心としてテーブル部２０を左右に旋回させることができる。第一の移動部のキャスタ３０はどのようなものであってもかまわないが、基部１０の溝部１２における車輪３２の転がりやすさという観点やテーブル部２０の旋回のし易さという観点からは、オフセットがないものが好ましい。
【００１８】
天板２２の裏面には、天板２２を安定的に支持し、かつテーブル部２０の移動を補助するために、基部１０に接し、かつ旋回可能な車輪を有する第二の移動部が備えられている。第二の移動部は、本実施形態では、左右に旋回可能な車輪４２を備えるキャスタ４０により構成されている。キャスタ４０は、第一の移動部のものより高さが低くなっており、車輪４２が基部１０の上面に接し、基部１０の上面上で転がるようになっている。第二の移動部のキャスタ４０はどのようなものであってもかまわないが、テーブル部２０の旋回のし易さという観点からは、オフセットがあるものが好ましい。
【００１９】
第二の移動部が備えられる位置は特に限定されるものではないが、第一の移動部の前後側に備えると、平面的に見て天板２２が基部１０の上面に重なるようにテーブル部２０を配置した場合、第二の移動部が天板２２の安定的な支持に寄与せず、また、第一の移動部の側方に備えると、平面的に見て天板２２が基部１０と直角となるようにテーブル部２０を配置した場合において天板２２上に外力が作用すると第二の移動部の車輪が基部１０の溝部１２に落ちてしまい、天板２２が傾いてしまう。そこで、第二の移動部は、天板２２を安定的に支持するという観点からは、第一の移動部に対し、前後方向および横方向にずれた位置に備えることが好ましい。本実施形態では、第二の移動部のキャスタ４０は、第一移動部のキャスタ３０に対し、後方かつ左側にずれた位置に備えられている。
【００２０】
第一実施形態のテーブルは、図９〜図１１に示すように、用途に応じて、テーブル部２０を基部１０の溝部１２に沿って並進させたり、左右に旋回させたりして用いることができる。また、テーブルを使用しない場合には、図２、図３および図１２に示すように、天板２２を基部１０の上面に重ねるようにしてテーブル部２０を配置することにより、テーブルをコンパクトにすることができる。
【００２１】
第一実施形態のテーブルは、基部１０に対し、テーブル部２０を並進および旋回させることができるので、テーブル部２０の自由度が高く、使い勝手が良い。
また、テーブルを使用しない場合には、平面的に天板２２を基部１０と重なるようにテーブル部２０を移動することにより、テーブルをコンパクトにすることができる。
【００２２】
また、第一実施形態のテーブルは、天板２２に第二の移動部を備えることにより、天板２２が安定的に支持され、かつ安定的に移動する。
また、第一実施形態のテーブルは、第二の移動部を第一移動部から前後方向および横方向にずれた位置に備えることにより、天板２２が安定的に支持される。
【００２３】
また、第一実施形態のテーブルは、脚部２４に第三の移動部を備えることにより、テーブル部２０の並進および旋回をより一層容易に行うことができる。
【００２４】
次に、第二実施形態のテーブルについて説明する。図１３〜図１８は第二実施形態のテーブルを示す。
第二実施形態のテーブルは、基部１１０と、テーブル部１２０と、を備えている。
【００２５】
基部１１０は、図１３〜図１５に示すように、形状が直方体であり、木材で形成されている。基部１１０は、その側面が住居などの構造物に設けられた壁Ｗの壁面に固定されている。基部１０の上面には、前後方向に延び、横断面が矩形状である溝部１１２が形成されている。
【００２６】
テーブル部１２０は、図１３〜図１５に示すように、天板１２２と、脚部１２４と、第一の移動部と、第二の移動部と、第三の移動部と、を備えている。
なお、天板１２２、脚部１２４、左右に旋回可能な車輪１３２を備えるキャスタ１３０により構成される第一の移動部および左右に旋回可能な車輪１５２を備えるキャスタ１５０により構成される第三の移動部は、第一実施形態のものと同じであるため、ここでは説明を省略する。
【００２７】
天板１２２には、天板１２２を安定的に支持し、かつテーブル部１２０の移動を補助するために、テーブル部１２０が設置される設置部Ｓに接し、かつ旋回可能な車輪を有する第二の移動部が備えられている。第二の移動部は、本実施形態では、柱部１４４と、キャスタ１４０と、により構成されている。
柱部１４４は、角柱状であって、木材で形成されている。柱部１４４は、その長さが脚部１２４と同じ長さであり、その一端が天板１２２の裏面に取り付けられている。柱部１４４の他端には、左右に旋回可能な車輪１４２を備える第三の移動部のキャスタ１５０と同じキャスタ１４０が取り付けられている。
【００２８】
第二の移動部が備えられる位置は特に限定されるものではないが、第二の移動部と基部１１０との干渉を避けるため、第二の移動部は、第一の移動部に対し、前後方向および横方向にずれた位置に備えることが好ましい。本実施形態では、第二の移動部が第一移動部のキャスタ１３０に対し、後方かつ左側にずれた位置に備えられている。具体的には、第二の移動部の柱部１４４は、平面的に見て天板１２２が基部１１０の上面に重なるようにテーブル部２０を配置した状態および平面的に見て天板１２２が基部１１０と直角となるようにテーブル部１２０を配置した状態のそれぞれにおいて、基部１１０の側面のうち壁Ｗに固定されていない面より外側に位置するように備えられる。
【００２９】
第二実施形態のテーブルは、図１６〜図１８に示すように、用途に応じて、テーブル部１２０を基部１１０の溝部１１２に沿って移動させたり、旋回させたりして用いることができる。また、テーブルを使用しない場合には、図１４、図１５および図１８に示すように、天板１２２を基部１１０の上面に重ねるようにテーブル部１２０を移動させることにより、テーブルをコンパクトにしておくことができる。
【００３０】
第二実施形態のテーブルの効果は、上記第一実施形態と同じである。
【００３１】
上記実施形態のテーブルは、例えば、作業または学習用のテーブルとして、またベッドのサイドテーブルなどとして用いることができる。
【００３２】
本考案のテーブルは、上記実施形態に特に限定されるものではなく、本考案の要旨の範囲内において適宜変更することができる。
例えば、基部１０，１１０天板２２，１２２および脚部２４，１２４の形状および素材は上記以外のものであってもよい。また、第一の移動部、第二の移動部および第三の移動部には、上記キャスタ３０，１３０，４０，１４０，５０，１５０にかえて別の移動用部品を備えるものであってもよい。また、第二の移動部および第三の移動部の車輪４２，１４２，５２，１５２は、いずれか一方または両方が左右に旋回しないものであってもよい。また、テーブル部２０，１２０は第二の移動部および第三の移動部のいずれか一方または両方がないものであってもよい。テーブル部２０，１２０に第三の移動部がない場合には、脚部２４，１２４は直接テーブル部２０，１２０が設置される設置部Ｓに設置される。
【符号の説明】
【００３３】
１０，１１０    基部
１２，１１２    溝部
２０，１２０    テーブル部
２２，１２２    天板
２４，１２４    脚部
３０，４０，５０，１３０，１４０，１５０    キャスタ
３２，４２，５２，１３２，１４２，１５２    車輪
１４４    柱部
Ｓ    設置部
Ｗ    壁
【図１】
0003203276.tif 000003
【図２】
0003203276.tif 000004
【図３】
0003203276.tif 000005
【図４】
0003203276.tif 000006
【図５】
0003203276.tif 000007
【図６】
0003203276.tif 000008
【図７】
0003203276.tif 000009
【図８】
0003203276.tif 000010
【図９】
0003203276.tif 000011
【図１０】
0003203276.tif 000012
【図１１】
0003203276.tif 000013
【図１２】
0003203276.tif 000014
【図１３】
0003203276.tif 000015
【図１４】
0003203276.tif 000016
【図１５】
0003203276.tif 000017
【図１６】
0003203276.tif 000018
【図１７】
0003203276.tif 000019
【図１８】
0003203276.tif 000020
【手続補正書】
【提出日】平成28年1月22日(2016.1.22)
【手続補正１】
【補正対象書類名】実用新案登録請求の範囲
【補正対象項目名】全文
【補正方法】変更
【補正の内容】
【実用新案登録請求の範囲】
【請求項１】
基部と、テーブル部と、を備え、
前記基部は、溝部を備え、
前記テーブル部は、前記基部より高い位置に位置する天板と、
前記天板を支持する脚部と、
前記天板に設けられ、前記溝部の内面に接して転がり、かつ旋回可能な車輪を有する第一の移動部と、
を備えることを特徴とするテーブル。
【請求項２】
前記天板に設けられ、基部にまたはテーブル部が設置される設置部に接する車輪を有する第二の移動部を備えることを特徴とする請求項１記載のテーブル。
【請求項３】
前記第二の移動部は、前記第一の移動部に対し、前後方向および横方向にずれた位置に備えられることを特徴とする請求項２記載のテーブル。